【手続補正書】
【提出日】平成20年1月29日(2008.1.29)
【手続補正１】
【補正対象書類名】明細書
【補正対象項目名】発明の名称
【補正方法】変更
【補正の内容】
【発明の名称】記録装置及び方法
【手続補正２】
【補正対象書類名】明細書
【補正対象項目名】特許請求の範囲
【補正方法】変更
【補正の内容】
【特許請求の範囲】
【請求項１】  被写体を撮影して動画像信号を出力する撮像手段と、
前記撮像手段から出力された動画像信号を記録媒体に記録する記録手段と、
前記動画像信号の記録開始と記録終了を指示する指示手段と、
前記記録開始の指示より第１の所定期間前から前記記録終了の指示より第２の所定期間後までの間に前記撮像手段から出力された動画像信号を一つのテイクとして記録するよう前記記録手段を制御する制御手段と、
前記記録手段による前記動画像信号の記録動作に応じて、前記一つのテイクにおいて前記記録開始が指示された位置から記録終了が指示された位置までの動画像信号を再生するよう前記記録媒体に記録された動画像信号の再生手順を制御するためのプレイリストデータを生成する生成手段とを備えることを特徴とする記録装置。
【請求項２】  前記制御手段は、前記記録開始の指示より第１の所定期間前から前記記録開始の指示までの間に前記撮像手段から出力された先行動画像信号と、前記記録終了の指示から前記記録終了の指示より第２の所定期間後までの間に前記撮像手段から出力された後続動画像信号と、前記記録開始指示から記録終了指示までの間に前記撮像手段から出力された本動画像信号とを、前記一つのテイクとして記録するよう前記記録手段を制御し、
前記生成手段は、前記記録手段による前記動画像信号の記録動作に応じて、前記一つのテイクのうち前記本動画像信号の先頭から最後までを再生するよう前記記録媒体に記録された動画像信号の再生手順を制御するためのプレイリストデータを生成することを特徴とする請求項１記載の記録装置。
【請求項３】  前記記録媒体に記録された複数の前記テイクの動画像信号を再生する再生手段を備え、
前記再生手段は、前記記録媒体から連続して二つの前記テイクを再生する場合に、前記二つのテイクのうち先に再生されるテイクの後続動画像信号と後に再生されるテイクの先行動画像信号と用いてエフェクト画像信号を生成することを特徴とする請求項２記載の記録装置。
【請求項４】  前記第１の所定期間分の動画像信号を記憶可能であって前記撮像手段から出力された動画像信号を記憶するメモリを備え、
前記記録手段は前記記録開始の指示の時点で前記メモリに記憶されている前記第１の所定期間分の動画像信号を前記記録開始の指示に応じて読み出し、前記記録媒体に記録することを特徴とする請求項１から３の何れか１項に記載の記録装置。
【請求項５】  前記記録終了指示の後、前記後続動画像信号の記録状態である旨の情報を表示する表示手段を備えたことを特徴とする請求項１から４の何れか１項に記載の記録装置。
【請求項６】  入力された動画像信号を記録媒体に記録する記録手段と、
前記動画像信号の記録開始と記録終了を指示する指示手段と、
前記記録開始の指示から記録終了の指示までの間に入力された動画像信号を含む動画像のテイクを記録するよう前記記録手段を制御する制御手段と、
一つの前記テイクが前記記録媒体に記録されたことに応じて、前記一つのテイクにおいて前記記録開始が指示された位置から記録終了が指示された位置までの動画像信号を再生するよう前記記録媒体に記録された動画像信号の再生手順を制御するためのプレイリストデータを生成する生成手段とを備え、
前記生成手段は、前記動画像のテイクが前記記録媒体に記録されると、前記記録媒体に記録された複数のテイクの動画像信号を前記記録媒体に記録された順番で連続して再生するよう動画像信号の再生手順を制御するためのプレイリストデータを生成することを特徴とする記録装置。
【請求項７】  被写体を撮影して動画像信号を出力する撮像ステップと、
前記撮像ステップで出力された動画像信号を記録媒体に記録する記録ステップと、
前記動画像信号の記録開始と記録終了を指示する指示ステップと、
前記記録ステップにおいて、前記記録開始の指示より第１の所定期間前から前記記録終了の指示より第２の所定期間後までの間に前記撮像ステップで出力された動画像信号を一つのテイクとして記録するように制御する制御ステップと、
前記記録ステップで前記動画像信号の記録動作に応じて、前記一つのテイクにおいて前記記録開始が指示された位置から記録終了が指示された位置までの動画像信号を再生するよう前記記録媒体に記録された動画像信号の再生手順を制御するためのプレイリストデータを生成する生成ステップとを備えることを特徴とする記録方法。
【請求項８】  入力された動画像信号を記録媒体に記録する記録ステップと、
前記動画像信号の記録開始と記録終了を指示する指示ステップと、
前記記録ステップにおいて、前記記録開始の指示から記録終了の指示までの間に入力された動画像信号を含む動画像のテイクを記録するように制御する制御手段と、
一つの前記テイクが前記記録媒体に記録されたことに応じて、前記一つのテイクにおいて前記記録開始が指示された位置から記録終了が指示された位置までの動画像信号を再生するよう前記記録媒体に記録された動画像信号の再生手順を制御するためのプレイリストデータを生成する生成ステップとを備え、
前記生成ステップにおいて、前記動画像のテイクが前記記録媒体に記録されると、前記記録媒体に記録された複数のテイクの動画像信号を前記記録媒体に記録された順番で連続して再生するよう動画像信号の再生手順を制御するためのプレイリストデータを生成することを特徴とする記録方法。
【手続補正３】
【補正対象書類名】明細書
【補正対象項目名】０００１
【補正方法】変更
【補正の内容】
【０００１】
【発明の属する技術分野】
本発明は、記録装置及び方法に関し、特に、動画像を撮影して記録媒体に記録する記録装置及び方法に関する。
【手続補正４】
【補正対象書類名】明細書
【補正対象項目名】００２１
【補正方法】変更
【補正の内容】
【００２１】
本発明はこのような問題点に鑑みてなされたものであって、クロスフェード等のシーンチェンジエフェクトを掛けた場合でも、録画開始操作時点から録画終了操作時点までの期間に記録された映像が不鮮明になることなく再生されるようにした記録装置及び方法を提供することを目的とする。
【手続補正５】
【補正対象書類名】明細書
【補正対象項目名】００２２
【補正方法】変更
【補正の内容】
【００２２】
【課題を解決するための手段】
上記目的を達成するために、請求項１記載の記録装置は、被写体を撮影して動画像信号を出力する撮像手段と、前記撮像手段から出力された動画像信号を記録媒体に記録する記録手段と、前記動画像信号の記録開始と記録終了を指示する指示手段と、前記記録開始の指示より第１の所定期間前から前記記録終了の指示より第２の所定期間後までの間に前記撮像手段から出力された動画像信号を一つのテイクとして記録するよう前記記録手段を制御する制御手段と、前記記録手段による前記動画像信号の記録動作に応じて、前記一つのテイクにおいて前記記録開始が指示された位置から記録終了が指示された位置までの動画像信号を再生するよう前記記録媒体に記録された動画像信号の再生手順を制御するためのプレイリストデータを生成する生成手段とを備えることを特徴とする。
【手続補正６】
【補正対象書類名】明細書
【補正対象項目名】００２３
【補正方法】変更
【補正の内容】
【００２３】
また、請求項６記載の記録装置は、入力された動画像信号を記録媒体に記録する記録手段と、前記動画像信号の記録開始と記録終了を指示する指示手段と、前記記録開始の指示から記録終了の指示までの間に入力された動画像信号を含む動画像のテイクを記録するよう前記記録手段を制御する制御手段と、一つの前記テイクが前記記録媒体に記録されたことに応じて、前記一つのテイクにおいて前記記録開始が指示された位置から記録終了が指示された位置までの動画像信号を再生するよう前記記録媒体に記録された動画像信号の再生手順を制御するためのプレイリストデータを生成する生成手段とを備え、前記生成手段は、前記動画像のテイクが前記記録媒体に記録されると、前記記録媒体に記録された複数のテイクの動画像信号を前記記録媒体に記録された順番で連続して再生するよう動画像信号の再生手順を制御するためのプレイリストデータを生成することを特徴とする。
【手続補正７】
【補正対象書類名】明細書
【補正対象項目名】００２４
【補正方法】変更
【補正の内容】
【００２４】
さらに、請求項７記載の記録方法は、被写体を撮影して動画像信号を出力する撮像ステップと、前記撮像ステップで出力された動画像信号を記録媒体に記録する記録ステップと、前記動画像信号の記録開始と記録終了を指示する指示ステップと、前記記録ステップにおいて、前記記録開始の指示より第１の所定期間前から前記記録終了の指示より第２の所定期間後までの間に前記撮像ステップで出力された動画像信号を一つのテイクとして記録するように制御する制御ステップと、前記記録ステップで前記動画像信号の記録動作に応じて、前記一つのテイクにおいて前記記録開始が指示された位置から記録終了が指示された位置までの動画像信号を再生するよう前記記録媒体に記録された動画像信号の再生手順を制御するためのプレイリストデータを生成する生成ステップとを備えることを特徴とする。
請求項８記載の記録方法は、入力された動画像信号を記録媒体に記録する記録ステップと、前記動画像信号の記録開始と記録終了を指示する指示ステップと、前記記録ステップにおいて、前記記録開始の指示から記録終了の指示までの間に入力された動画像信号を含む動画像のテイクを記録するように制御する制御手段と、一つの前記テイクが前記記録媒体に記録されたことに応じて、前記一つのテイクにおいて前記記録開始が指示された位置から記録終了が指示された位置までの動画像信号を再生するよう前記記録媒体に記録された動画像信号の再生手順を制御するためのプレイリストデータを生成する生成ステップとを備え、前記生成ステップにおいて、前記動画像のテイクが前記記録媒体に記録されると、前記記録媒体に記録された複数のテイクの動画像信号を前記記録媒体に記録された順番で連続して再生するよう動画像信号の再生手順を制御するためのプレイリストデータを生成することを特徴とする。
【手続補正８】
【補正対象書類名】明細書
【補正対象項目名】００７１
【補正方法】変更
【補正の内容】
【００７１】
【発明の効果】
以上詳述したように、本発明によれば、クロスフェード等のシーンチェンジエフェクトを掛けた場合でも、録画開始操作時点から録画終了操作時点までの期間に記録された映像を不鮮明になることなく再生することができる。
【手続補正９】
【補正対象書類名】明細書
【補正対象項目名】００７２
【補正方法】削除
【補正の内容】
【手続補正１０】
【補正対象書類名】明細書
【補正対象項目名】００７３
【補正方法】削除
【補正の内容】
【手続補正１１】
【補正対象書類名】明細書
【補正対象項目名】００７４
【補正方法】削除
【補正の内容】
【手続補正１２】
【補正対象書類名】明細書
【補正対象項目名】００７５
【補正方法】削除
【補正の内容】
【手続補正１３】
【補正対象書類名】明細書
【補正対象項目名】００７６
【補正方法】削除
【補正の内容】
【手続補正１４】
【補正対象書類名】明細書
【補正対象項目名】００７７
【補正方法】削除
【補正の内容】
【手続補正１５】
【補正対象書類名】明細書
【補正対象項目名】符号の説明
【補正方法】変更
【補正の内容】
【符号の説明】
１０１  レンズ
１０２  撮像素子
１０３  カメラ信号処理部
１０４  画像メモリ
１０５  操作スイッチ
１０６  ディスプレイ
１０７  画像処理部
１０８  動画圧縮解凍回路
１０９  ハードディスク
１１０  インターフェース
１１１  ＣＰＵ
１１２  プログラムメモリ
１１３  プログラムフラッシュメモリ